(57)【要約】【課題】実用使用時および定期点検時のカレントトランスでの接続の切り換えが自動的に行える低光度で使用されるＬＥＤ標識灯点灯装置およびこのＬＥＤ標識灯点灯装置を具備するＬＥＤ標識灯を提供する。【解決手段】ＬＥＤ標識灯点灯装置１は、カレントトランス２と、カレントトランス２の出力巻線２ｂまたは中間タップ８ｃを介して選択的に電流が供給されて点灯する発光ダイオード４と、発光ダイオード４に流れる電流を検出し、検出した電流値に応じた制御信号を出力する電流検出手段Ｒ１，Ｒ２，５と、この制御信号に応じてカレントトランス２の出力巻線２ｂまたは中間タップ８ｃから発光ダイオード４に電流供給させる接続切換手段６とを具備している。【選択図】図１
2008181781.tif 000002
【特許請求の範囲】
【請求項１】
出力可変の交流定電流電源から電流が供給されるとともに出力巻線に出力変化用の中間タップを有している絶縁形のカレントトランスと；
カレントトランスの出力巻線または中間タップを介して選択的に電流が供給されて点灯する発光ダイオードと；
発光ダイオードに流れる電流を検出し、検出した電流値に応じた制御信号を出力する電流検出手段と；
交流定電流電源からの電流が相対的に大きいときの電流検出手段の制御信号に応じてカレントトランスの中間タップから発光ダイオードに電流供給させ、交流定電流電源からの電流が相対的に小さいときの電流検出手段の制御信号に応じてカレントトランスの出力巻線から発光ダイオードに電流供給させる接続切換手段と；
を具備していることを特徴とするＬＥＤ標識灯点灯装置。
【請求項２】
電流検出手段は、発光ダイオードに流れる電流を抵抗素子により検出し、交流定電流電源からの電流が相対的に大きいときに抵抗素子の抵抗値が相対的に小さくされ、交流定電流電源からの電流が相対的に小さいときに抵抗素子の抵抗値が相対的に大きくされることを特徴とする請求項1記載のＬＥＤ標識灯点灯装置。
【請求項３】
カレントトランスは、出力巻線と絶縁された補助巻線を有し、この補助巻線の両端間には、補助巻線に流れる電流を整流平滑してなる定電圧回路が形成され、この定電圧回路の出力電圧が電流検出手段により検出された電流値と比較される基準値となっていることを特徴とする請求項１または２記載のＬＥＤ標識灯点灯装置。
【請求項４】
請求項１ないし３いずれか一記載のＬＥＤ標識灯点灯装置と；
このＬＥＤ標識灯点灯装置を配設している灯体と；
を具備していることを特徴とするＬＥＤ標識灯。
【発明の詳細な説明】
【技術分野】
【０００１】
本発明は、発光ダイオードが所定の光度比率で点灯されるＬＥＤ標識灯点灯装置およびこのＬＥＤ標識灯点灯装置を具備するＬＥＤ標識灯に関する。
【背景技術】
【０００２】
従来、誘導路用標識灯のような低光度用の航空標識灯では、光源にハロゲン電球などの白熱電球を用いた電球式標識灯が使用され、実用上、定格の１０％の光度比率で点灯されている。近年、その白熱電球に代えて光源に発光ダイオードを用いたＬＥＤ式標識灯が検討されている。光源に発光ダイオードを用いれば、省電力となるとともに、長寿命となるので、メンテナンス費用を大幅に削減することができる。また、発光ダイオードの種類に応じて各種の色光が得られるので、色フィルターなどを不要とすることができるなどの利点を有する。そして、全ての電球式標識灯をＬＥＤ式標識灯に置き換えると、設備費用が莫大となるので、現在のところ、電球式標識灯およびＬＥＤ式標識灯を混合し、共通の交流定電流電源に直列的に接続してすることが現実的である。
【０００３】
ところで、白熱電球における電流に対する光出力特性と、発光ダイオードにおける電流に対する光出力特性とは、図２に示すように、大きく異なっている。すなわち、白熱電球は、電流に対して光出力が指数関数的に変化し、例えば定格電流６．６Ａで定格点灯（１００％点灯）され、４．８Ａ（定格電流の７２．７％）で定格の１０％の光度比率で点灯される。これに対し、発光ダイオードは、電流に対して光出力が直線的に変化し、定格電流６．６Ａで定格点灯（１００％点灯）され、４．８Ａで定格の７２．７％の光度比率で点灯され、定格の１０％の光度比率で点灯される電流が０．６６Ａ（定格電流の１０．０％）となっている。ここで、電流は、交流定電流電源から供給された電流であり、カレントトランスの一次巻線に流れる電流を示している。発光ダイオードは、実際のところ、カレントトランスの二次巻線に流れる電流により、定格電流０．７Ａ、定格の１０％の光度比率で点灯される電流が０．０７Ａ（定格電流の１０．０％）となっている。
【０００４】
このような状況において、交流定電流電源から低光度用の４．８Ａの電流が供給されると、電球式標識灯からは定格の１０％の光度比率の光出力がなされるが、ＬＥＤ式標識灯からは定格の７２．７％の光度比率の光出力がなされることになる。したがって、直列的に接続された電球式標識灯およびＬＥＤ式標識灯がそれぞれ所定の光度比率（例えば、定格点灯の１０％）の光出力をするように、ＬＥＤ式標識灯において発光ダイオードの光出力を調整することが行われている。例えば、交流定電流電源からの出力電流に対して、発光ダイオードの光度が電球の光度と同じになるように発光ダイオードに流れる電流をデューティ制御するＬＥＤ式標識灯点灯装置が提案されている（特許文献１参照。）。この従来技術のＬＥＤ式標識灯点灯装置は、交流定電流電源からの出力電流を検出する入力電流検出回路、交流定電流電源からの出力電流に対して、発光ダイオードにおける電流に対する光出力特性を電球における電流に対する光出力特性に変換する特性変換回路および発光ダイオードに流れる電流が特性変換回路で変換された電流となるようにデューティ制御するデューティ制御回路などを有するものである。
【０００５】
また、発光ダイオードに直列接続されている可変抵抗の抵抗値を変化させ、発光ダイオードに流れる電流を制御して、白熱電球と同様の光出力を得る航空標識灯が提案されている（特許文献２参照。）。この従来技術の航空標識灯は、交流定電流電源からの階調電流（出力電流）を検出する電流検出回路部、その検出結果に基づき、階調電流に応じた白熱電球の明るさが得られるような階調信号を生成する階調変換回路部および階調信号により可変抵抗の抵抗値を変化させるＬＥＤ駆動回路部を有してなる駆動回路部を有するものである。
【０００６】
また、交流定電流電源から絶縁トランスを介して得られた電圧を整流する整流器の出力側に分流回路が接続され、発光ダイオードを光源とする標識灯が分流回路と並列接続された標識灯システムが提案されている（特許文献３参照。）。この従来技術の標識灯システムにおいて、分流回路は、整流器の出力が大きいときはインピーダンスが大きく、整流器の出力が小さいときはインピーダンスが小さく、発光ダイオードの光出力が電球の光出力に近似するように整流器の出力を分流するものである。
【０００７】
しかし、発光ダイオードを低光度（例えば、定格の１０％）で点灯させるＬＥＤ標識灯に対して、特許文献１に示すＬＥＤ式標識灯点灯装置は、入力電流検出回路、特性変換回路およびデューティ制御回路などを有するので、高機能であり、高価にさせるという欠点を有する。また、特許文献２の航空標識灯は、電流検出回路部、階調変換回路部および駆動回路部を有してなる駆動回路部を有するので、同じく、高機能であり、高価になるものである。また、特許文献３の標識灯システムは、発光ダイオードに流れる電流を調整するために分流回路に分流させる電流が無駄であり、省電力が図られにくいものである。
【０００８】
そこで、低光度用として、簡素な構成であって、安価で省電力でもある図４に示すＬＥＤ標識灯点灯装置５０を具備するＬＥＤ標識灯が使用されている。ＬＥＤ標識灯点灯装置５０は、カレントトランス２の二次巻線２ｂの両端にそれぞれ一端接続部８ａおよび他端接続部８ｂが設けられ、二次巻線２ｂの中間に中間接続部８ｃが設けられたものであり、一端接続部２ａおよび他端接続部２ｂ、または一端接続部２ａおよび中間接続部２ｃのいずれかに手動スイッチＳＷ１により整流装置３の入力側が接続されるものである。そして、整流装置３の出力側に発光ダイオード４および抵抗素子Ｒ１が直列接続されている。
【０００９】
ＬＥＤ標識灯は、通常、整流装置３の入力側がカレントトランス２の一端接続部８ａおよび他端接続部８ｂに接続され、カレントトランス２の一次巻線２ａには、交流定電流電源から定格電流（６．６Ａ）よりも減じた所定の電流（４．８Ａ）が供給される。そして、発光ダイオード４は、所定の電流（７０ｍＡ）が流れて、所定の光度比率（１０％）で点灯するものである。
【００１０】
そして、ＬＥＤ標識灯は、定期点検（メンテナンス）時には、路面設置から取り外されて持ち帰り、整流装置３の入力側がカレントトランス２の一端接続部２ａおよび中間接続部８ｃに接続され、一次巻線２ａに定格電流を流して、発光ダイオード４の光出力などの定格点灯状態の検査が行われる。そして、当該検査に合格すると、再び元の状態に設置されるものである。
【特許文献１】特開２００６−１３９７５５号公報（第８−９頁、第１図）
【特許文献２】特開２０００−１７３３０４号公報（第７−８頁、第５−６図）
【特許文献３】特開２００６−６５７２４号公報（第６頁、第１図）
【発明の開示】
【発明が解決しようとする課題】
【００１１】
ＬＥＤ標識灯点灯装置５０を具備するＬＥＤ標識灯は、定期点検時、手動スイッチＳＷ１により整流装置３の入力側をカレントトランス２の二次巻線２ｂの他端接続部８ｂから中間接続部８ｃに切り換えるが、点検終了後、当初の状態である整流装置３の入力側をカレントトランス２の二次巻線２ｂの一端接続部８ａおよび他端接続部８ｂに切り換えることを忘れることがあった。この結果、再び交流定電流電源に接続したときに、ＬＥＤ標識灯と電球式標識灯との光度が異なるという問題があった。
【００１２】
また、定期点検時、多数のＬＥＤ標識灯に対する手動スイッチＳＷ１の切換作業は、煩わしさを伴うものであった。
【００１３】
本発明は、実用使用時および定期点検時のカレントトランスでの接続の切り換えが自動的に行える低光度で使用されるＬＥＤ標識灯点灯装置およびこのＬＥＤ標識灯点灯装置を具備するＬＥＤ標識灯を提供することを目的とする。
【課題を解決するための手段】
【００１４】
請求項１に記載のＬＥＤ標識灯点灯装置の発明は、出力可変の交流定電流電源から電流が供給されるとともに出力巻線に出力変化用の中間タップを有している絶縁形のカレントトランスと；カレントトランスの出力巻線または中間タップを介して選択的に電流が供給されて点灯する発光ダイオードと；発光ダイオードに流れる電流を検出し、検出した電流値に応じた制御信号を出力する電流検出手段と；交流定電流電源からの電流が相対的に大きいときの電流検出手段の制御信号に応じてカレントトランスの中間タップから発光ダイオードに電流供給させ、交流定電流電源からの電流が相対的に小さいときの電流検出手段の制御信号に応じてカレントトランスの出力巻線から発光ダイオードに電流供給させる接続切換手段と；を具備していることを特徴とする。
【００１５】
本発明および以下の各発明において、特に言及しない限り、各構成は以下による。
【００１６】
「交流定電流電源からの電流が相対的に大きい」とは、発光ダイオードを高光度例えば定格点灯させる電流が供給され、「交流定電流電源からの電流が相対的に小さい」とは、発光ダイオードを低光度例えば定格の１０％の光度比率で点灯させる電流が供給されることを意味する。
【００１７】
発光ダイオードは、１個であってもよく、複数個であってもよい。
【００１８】
本発明によれば、交流定電流電源からの電流が変化すると、発光ダイオードに流れる電流が変化し、その電流値に応じた制御信号が電流検出手段から出力される。接続切換手段は、電流検出手段の制御信号に応じてカレントトランスの出力巻線または中間タップを介して発光ダイオードに選択的に電流供給させる。すなわち、交流定電流電源からの電流が相対的に大きいときには、カレントトランスの中間タップから発光ダイオードに電流が供給され、発光ダイオードが高光度による点灯例えば定格点灯する。交流定電流電源からの電流が相対的に小さいときには、カレントトランスの出力巻線から発光ダイオードに電流が供給され、発光ダイオードが低光度例えば定格の１０％の光度比率で点灯する。
【００１９】
請求項２に記載のＬＥＤ標識灯点灯装置の発明は、請求項1記載のＬＥＤ標識灯点灯装置において、電流検出手段は、発光ダイオードに流れる電流を抵抗素子により検出し、交流定電流電源からの電流が相対的に大きいときに抵抗素子の抵抗値が相対的に小さくされ、交流定電流電源からの電流が相対的に小さいときに抵抗素子の抵抗値が相対的に大きくされることを特徴とする。
【００２０】
抵抗素子は、可変抵抗であってもよく、複数個の抵抗素子を直列接続または並列接続するものであってもよい。
【００２１】
「抵抗素子の抵抗値が相対的に小さくまたは大きく」とは、抵抗素子の両端間電圧が比較される基準値（基準電圧）に近づくように抵抗値が設定されることを意味する。
【００２２】
本発明によれば、交流定電流電源からの電流が相対的に大きく、発光ダイオードに流れる電流が大きくなると、抵抗素子の抵抗値が小さくされるので、発光ダイオードの高光度例えば定格点灯における抵抗素子での消費電力が低減される。
【００２３】
請求項３に記載のＬＥＤ標識灯点灯装置の発明は、請求項１または２記載のＬＥＤ標識灯点灯装置において、カレントトランスは、出力巻線と絶縁された補助巻線を有し、この補助巻線の両端間には、補助巻線に流れる電流を整流平滑してなる定電圧回路が形成され、この定電圧回路の出力電圧が電流検出手段により検出された電流値と比較される基準値となっていることを特徴とする。
【００２４】
本発明によれば、カレントトランスの補助巻線に設けられた定電圧回路から電流検出手段により検出された電流値と比較される基準値が得られるので、基準値を得るためのバッテリなどの基準電圧源を搭載することを要しない。
【００２５】
請求項４に記載のＬＥＤ標識灯の発明は、請求項１ないし３いずれか一記載のＬＥＤ標識灯点灯装置と；このＬＥＤ標識灯点灯装置を配設している灯体と；を具備していることを特徴とする。
【００２６】
本発明によれば、請求項１ないし３いずれか一記載のＬＥＤ標識灯点灯装置を具備するＬＥＤ標識灯が提供される。
【発明の効果】
【００２７】
請求項１の発明によれば、発光ダイオードに流れる電流を検出した電流値に応じた制御信号に応じて、カレントトランスの出力巻線または中間タップと発光ダイオードとの接続が自動的に切り換わるので、実用使用時および定期点検時におけるカレントトランスと発光ダイオードの接続ミスを防止することができる。
【００２８】
請求項２の発明によれば、交流定電流電源からの電流が相対的に大きく、発光ダイオードが高光度例えば定格点灯されるときに、発光ダイオードに流れる電流を検出する抵抗素子の抵抗値が相対的に小さくされるので、電力損失を低減することができるとともに、低ワットで安価な抵抗素子を用いることができる。
【００２９】
請求項３の発明によれば、電流検出手段により検出された電流値と比較される基準値がカレントトランスの補助巻線の出力側に設けられた定電圧回路から供給されることにより、バッテリなどの基準電圧源を備えることを要しなく、かつ定期的に基準電圧源を交換する必要がないので、ＬＥＤ標識灯点灯装置を安価にすることができる。
【００３０】
請求項４の発明によれば、カレントトランスに供給される交流定電流電源からの電流に応じてカレントトランスと発光ダイオードの接続が自動的に切り換わるＬＥＤ標識灯点灯装置を具備するので、実用使用時および定期点検時における省力化が図られるＬＥＤ標識灯を提供することができる。
【発明を実施するための最良の形態】
【００３１】
以下、本発明の一実施の形態について、図面を参照して説明する。まず、本発明の第１の実施形態について説明する。
【００３２】
図１および図２は、本発明の第１の実施形態を示し、図１はＬＥＤ標識灯点灯装置の概略回路図、図２は電流に対する光出力の変化を示す特性図である。
【００３３】
図１において、ＬＥＤ標識灯点灯装置１は、カレントトランス２、整流装置３、発光ダイオード４、第１および第２の抵抗素子Ｒ１，Ｒ２、比較回路５、接続回路６および定電圧回路７を有して形成されている。ここで、整流装置３、第１および第２の抵抗素子Ｒ１，Ｒ２および比較回路５は、電流検出手段を形成している。また、接続回路６は、接続切換手段を形成している。
【００３４】
カレントトランス２は、それぞれ互いに絶縁された入力巻線である一次巻線２ａ、出力巻線としての二次巻線２ｂおよび補助巻線としての三次巻線２ｃを有している。そして、二次巻線２ｂの両端にそれぞれ一端接続部８ａおよび他端接続部８ｂが設けられ、中間に出力変化用の中間タップとしての中間接続部８ｃが設けられている。一次巻線２ａは、他のＬＥＤ標識灯点灯装置１のカレントトランス２および電球式標識灯のカレントトランスと直列的に接続され、出力可変の交流定電流電源（図示しない。）に接続されている。そして、交流定電流電源から発光ダイオード４を所定の光度比率（例えば定格の１０％の光度比率）で点灯させるための相対的に小さい所定の電流（例えば４．８Ａ）が供給される。また、定期点検時などにおいて、発光ダイオード４を定格点灯させるための相対的に大きい定格電流（例えば６．６Ａ）が供給されるものである。
【００３５】
そして、発光ダイオード４が所定の光度比率（例えば定格の１０％の光度比率）で点灯するときに発光ダイオード４に低光度用の電流（例えば７０ｍＡ）が流れるようにするので、一次巻線２ａに対する二次巻線２ｂの一端接続部８ａおよび他端接続部８ｃの変流比は、６８．６対１となっている。また、発光ダイオード４が定格点灯するときに発光ダイオード４に定格電流（例えば７００ｍＡ）が流れるようにするので、一次巻線２ａに対する二次巻線２ｂの一端接続部８ａおよび中間接続部８ｃの変流比は、９．４対１となっている。
【００３６】
整流装置３は、入力側の一端がカレントトランス２の一端接続部８ａに接続され、入力側の他端がリレー９の共通接点９ｃに接続されている。そして、リレー９の常開接点９ａは、リード線１０ａによりカレントトランス２の中間接続部８ｃに接続され、常閉接点９ｂは、リード線１０ｂによりカレントトランス２の他端接続部８ｂに接続されている。整流装置３の入力側は、カレントトランス２の一次巻線２ａに相対的に小さい所定の電流（４．８Ａ）が供給されるときにリレー接点９ｃ，９ｂによりカレントトランス２の一端接続部８ａおよび他端接続部８ｂに接続され、カレントトランス２の一次巻線２ａに相対的に大きい定格電流（６．６Ａ）が供給されるときにリレー接点９ｃ，９ａによりカレントトランス２の一端接続部８ａおよび中間接続部８ｃに接続されるものである。整流装置３の入力側の一端および他端には、サージ吸収用のバリスタＶＡ１が接続されている。
【００３７】
そして、整流装置３の出力間には、発光ダイオード４および第１の抵抗素子Ｒ１の直列回路が接続されている。そして、出力の負極側は、基板アースＥに接続されている。整流装置３は、カレントトランス２の二次巻線２ｂに流れる電流を整流して発光ダイオード４に供給する。
【００３８】
発光ダイオード４は、整流装置３により整流された電流が流れることによって点灯し、所定の色光（例えば青色光）を放射する。そして、発光ダイオード４は、整流装置３を介してカレントトランス２の一次巻線２ｂの一端接続部８ａおよび他端接続部８ｂ、または一端接続部８ａおよび中間接続部８ｃを介して選択的に電流が供給される。すなわち、カレントトランス２の一次巻線２ａに所定の電流（４．８Ａ）が供給されたときに整流装置３から低光度用の電流（７０ｍＡ）が供給されて、所定の光度比率（定格の１０％の光度比率）で点灯する。また、カレントトランス２の一次巻線２ａに定格電流（６．６Ａ）が供給されたときに整流装置３から定格の電流（７００ｍＡ）が供給されて、定格点灯する。
【００３９】
第１の抵抗素子Ｒ１は、発光ダイオード４と直列的に接続されている。そして、発光ダイオード４に流れる電流を検出する。そして、第１の抵抗素子Ｒ１の抵抗値は、例えば３．９Ωに設定されている。
【００４０】
また、第２の抵抗素子Ｒ２は、リレー９の常開接点１１ａ，１１ａを介して第１の抵抗素子Ｒ１に並列的に接続される。すなわち、リレー９が付勢されると、第２の抵抗素子Ｒ２は、第１の抵抗素子Ｒ１に並列的に接続される。また、リレー９が付勢されるときには、リレー９の共通接点９ｃが常閉接点９ｂから常開接点９ａに接続され、整流装置３の入力側がカレントトランス２の一端接続部８ａおよび中間接続部８ｃに接続される。そして、第２の抵抗素子Ｒ２は、カレントトランス２の一次巻線２ａに定格電流（６．６Ａ）が供給されているときに、第１の抵抗素子Ｒ１の両端間電圧（または第２の抵抗素子Ｒ２の両端間電圧）が後述の比較回路５の基準電圧（例えば０．３４Ｖ）よりも大きくなるように抵抗値が例えば０．６８Ωに設定されている。第１および第２の抵抗素子Ｒ１，Ｒ２の合成抵抗は、例えば０．５８Ωとなっている。
【００４１】
そして、第１の抵抗素子Ｒ１の両端間電圧は、増幅回路１２で増幅されている。増幅回路１２は、誤差増幅器１３と、誤差増幅器１３の非反転入力端子に接続された抵抗Ｒ３と、誤差増幅器１３の反転入力端子および基板アースＥ間に接続された抵抗Ｒ４と、誤差増幅器１３の反転入力端子および出力端子間に接続された抵抗Ｒ５を有して形成されている。第１の抵抗素子Ｒ１の両端間電圧は、抵抗Ｒ３を介して誤差増幅器１３に入力されている。
【００４２】
そして、増幅された第１の抵抗素子Ｒ１の両端間電圧は、逆流防止用のダイオードＤ１および限流用の抵抗Ｒ６を介して抵抗Ｒ７およびコンデンサＣ１からなる平均化回路１４に入力されている。そして、平均化回路１４で一定電圧に平均化された後、比較回路５に入力されている。
【００４３】
比較回路５は、比較器１５と、比較器１５の非反転入力端子に接続された抵抗Ｒ８と、比較器１５の反転入力端子に接続された抵抗Ｒ９と、比較器１５の非反転入力端子および出力端子間に接続された抵抗Ｒ１０と、抵抗Ｒ１１および抵抗Ｒ１２の直列回路を有して形成されている。比較器１５は、定電圧回路７の出力電圧が供給されて動作する。そして、平均化回路１４で一定電圧に平均化された第１の抵抗素子Ｒ１の両端間電圧は、抵抗Ｒ８を介して比較器１５の非反転入力端子に入力される。また、定電圧回路７の出力電圧は、抵抗Ｒ１１および抵抗Ｒ１２で分圧され、抵抗Ｒ１２の両端間電圧が抵抗Ｒ９を介して比較器１５の反転入力端子に入力される。
【００４４】
抵抗Ｒ１２の両端間電圧は、第１の抵抗素子Ｒ１の両端間電圧と比較する基準電圧となっている。この基準電圧は、発光ダイオード４に低光度用の電流（例えば７０ｍＡ）が流れて発光ダイオード４が所定の光度比率（定格の１０％の光度比率）で点灯しているときの第１の抵抗素子Ｒ１の両端間電圧例えば０．２７Ｖ（７０ｍＡ×３．９Ω）よりも大きく設定されている。また、発光ダイオード４に定格の電流（例えば７００ｍＡ）が流れて発光ダイオード４が定格点灯しているときの第１の抵抗素子Ｒ１の両端間電圧例えば０．４１Ｖ（７００ｍＡ×０．５８Ω（第１および第２の抵抗素子Ｒ１，Ｒ２の合成抵抗値））よりも小さくなるように設定している。すなわち、発光ダイオード４が定格点灯するときには、第１の抵抗素子Ｒ１の両端間電圧が基準電圧よりも大きくなるようにしている。
【００４５】
発光ダイオード４が所定の光度比率（定格の１０％の光度比率）または定格点灯しているときのカレントトランス２の一次巻線２ａに供給される電流は、それぞれ４．８Ａまたは６．６Ａであるので、例えば、カレントトランス２の一次巻線２ａに６．０Ａの電流が供給されているときを基準電圧に設定することができる。すなわち、整流装置３の入力側がカレントトランス２の一端接続部８ａおよび他端接続部８ｂに接続されて、発光ダイオード４が所定の光度比率（定格の１０％の光度比率）で点灯しているときに、カレントトランス２の一次巻線２ａに供給される電流が４．８Ａから増加して６．０Ａになると、発光ダイオード４に流れる電流は７０ｍＡから８７．５ｍＡに増加し、第１の抵抗素子Ｒ１の両端間電圧は、０．３４Ｖ（８７．５ｍＡ×３．９Ω）となり、この電圧を基準値としての基準電圧に設定することができる。
【００４６】
そして、比較回路５は、第１の抵抗素子Ｒ１の両端間電圧と基準電圧を比較し、その比較結果に応じて制御信号を接続回路６に出力する。すなわち、第１の抵抗素子Ｒ１の両端間電圧が基準電圧（０．３４Ｖ）よりも大きいと、出力端子からハイ信号（例えばＤＣ５Ｖ）を出力する。また、第１の抵抗素子Ｒ１の両端間電圧が基準電圧（０．３４Ｖ）以下であると、出力端子からロウ信号を出力する。
【００４７】
接続回路６は、リレー９、ＮＰＮ形のバイポーラトランジスタＱ１、ベース抵抗Ｒ１３、ノイズ防止用の抵抗Ｒ１４およびサージ吸収用のダイオードＤ２などを有して形成されている。そして、定電圧回路７のコンデンサＣ２の両端間にリレー９のリレーコイル９ｄおよびバイポーラトランジスタＱ１の直列回路が接続されている。ダイオードＤ２は、リレーコイル９ｄの両端間に接続されている。そして、比較回路５の比較器１５の出力端子は、ベース抵抗Ｒ１３を介してバイポーラトランジスタＱ１のベースに接続されている。抵抗Ｒ１４は、バイポーラトランジスタＱ１のベース、エミッタ間に接続され、バイポーラトランジスタＱ１のエミッタは、基板アースＥに接続されている。
【００４８】
比較回路５からロウ信号が出力されると、バイポーラトランジスタＱ１はオフし、リレー９のリレーコイル９ｄは、消勢する。すなわち、比較回路５において、第１の抵抗素子Ｒ１の両端間電圧が基準電圧（０．３４Ｖ）以下であるときには、比較回路５からリレー９が消勢される制御信号が出力される。リレー９は、消勢時には、整流装置３の入力側とカレントトランス２の一端接続部８ａおよび他端接続部８ｂとを共通接点９ｃおよび常閉接点９ｂにより閉路（接続）し、整流装置３の入力側とカレントトランス２の一端接続部８ａおよび中間接続部８ｃとを共通接点９ｃおよび常開接点９ａにより開路し、かつ第１および第２の抵抗素子Ｒ１，Ｒ２の並列接続を常開接点１１ａ，１１ａにより開路する。
【００４９】
そして、比較回路５からハイ信号が出力されると、バイポーラトランジスタＱ１がオンし、リレー９のリレーコイル９ｄの両端間に定電流回路７のコンデンサＣ２の両端間電圧が印加されて、リレーコイル９ｄは、付勢する。すなわち、比較回路５において、第１の抵抗素子Ｒ１の両端間電圧が基準電圧（０．３４Ｖ）よりも大きいときには、比較回路５からリレー９が付勢される制御信号が出力される。リレー９は、付勢時には、整流装置３の入力側とカレントトランス２の一端接続部８ａおよび他端接続部８ｂとを共通接点９ｃおよび常閉接点９ｂにより開路し、整流装置３の入力側とカレントトランス２の一端接続部８ａおよび中間接続部８ｃとを共通接点９ｃおよび常開接点９ａにより閉路（接続）し、かつ第１および第２の抵抗素子Ｒ１，Ｒ２の並列接続を常開接点１１ａ，１１ａにより閉路（接続）する。
【００５０】
定電圧回路７は、整流装置１６、定電圧集積回路１７、コンデンサＣ２およびコンデンサＣ３を有して形成されている。そして、整流装置１６の入力側がカレントトランス２の三次巻線２ｃの両端にそれぞれ設けられた一端接続部１８ａおよび他端接続部１８ｂに接続されている。整流装置１６の入力側には、サージ吸収用のバリスタＶＡ２が接続されている。整流装置１６の出力間には、コンデンサＣ２が接続され、さらに定電圧集積回路１７が接続されている。定電圧集積回路１７の出力間には、コンデンサＣ３が接続されている。そして、整流装置１６の負極出力側は、基板アースＥに接続されている。そして、コンデンサＣ２の両端間は、接続回路６のリレー９のリレーコイル９ｄおよびバイポーラトランジスタＱ１の直列回路に接続されている。また、コンデンサＣ３の両端間は、比較回路５の抵抗Ｒ１１および抵抗Ｒ１２の直列回路に接続されている。
【００５１】
カレントトランス２の三次巻線２ｃに流れる電流は、整流装置１６およびコンデンサＣ２により整流平滑され、コンデンサＣ２の両端間に所定の直流電圧が発生する。この直流電圧は、比較回路５からハイ信号が出力され、接続回路６のバイポーラトランジスタＱ１がオンすると、リレーコイル９ｄに印加され、リレー９を付勢する。そして、コンデンサＣ３の両端間には、定電圧集積回路１７の動作により、定電圧が発生する。この定電圧は、比較回路５の抵抗Ｒ１１および抵抗Ｒ１２により分圧され、抵抗Ｒ１２の両端間電圧（例えば０．３４Ｖ）が比較回路５の基準電圧となっている。
【００５２】
次に、本発明の第１の実施形態の作用について述べる。
【００５３】
ＬＥＤ標識灯点灯装置１は、上述したように、交流定電流電源からカレントトランス２の一次巻線２ａに相対的に大きい定格電流（例えば６．６Ａ）が供給されると、発光ダイオード４に定格の電流（７００ｍＡ）が流れて発光ダイオード４が定格点灯し、カレントトランス２の一次巻線２ａに相対的に小さい所定の電流（例えば４．８Ａ）が供給されると、発光ダイオード４に低光度用の電流（７０ｍＡ）が流れて発光ダイオード４が所定の光度比率(定格の１０％の光度比率)で点灯するように構成されている。そして、実用使用時には、カレントトランス２の一次巻線２ａに所定の電流（例えば４．８Ａ）が供給される。また、定期点検時には、カレントトランス２の一次巻線２ａに定格電流（例えば６．６Ａ）を供給して、発光ダイオード４の光出力などが検査される。
【００５４】
また、ＬＥＤ標識灯点灯装置１は、カレントトランス２の一次巻線２ａに電流が供給されない状態では、接続回路６のリレー９が消勢するように構成され、整流装置３の入力側がリレー９の共通接点９ｃおよび常閉接点９ｂによりカレントトランス２の二次巻線２ｂの一端接続部８ａおよび他端接続部８ｂに接続されている。
【００５５】
そして、カレントトランス２の一次巻線２ａに所定の電流（４．８Ａ）が供給されると、発光ダイオード４に低光度用の電流（７０ｍＡ）が流れて、発光ダイオード４が所定の光度比率（定格の１０％の光度比率）で点灯する。そして、第１の抵抗素子Ｒ１には、発光ダイオード４に流れる電流が流れ、両端間に０．２７Ｖの電圧が発生する。この第１の抵抗素子Ｒ１の両端間電圧は、増幅回路１２で増幅されるなどして、比較回路１２の比較器１５に入力され、基準電圧（０．３４Ｖ）と比較される。
【００５６】
比較器１５において、基準電圧が第１の抵抗素子Ｒ１の両端間電圧よりも大きいので、比較器１５からロウ信号が接続回路６のバイポーラトランジスタＱ１のベースに出力される。当該ロウ信号により、バイポーラトランジスタＱ１は、オンせず、リレー９は消勢を維持する。これにより、リレー接点９ａ，９ｂは切り換わらず、整流装置３の入力側は、カレントトランス２の一端接続部８ａおよび他端接続部８ｂに継続して接続され、発光ダイオード４は、所定の光度比率（定格の１０％の光度比率）での点灯を継続する。そして、接続回路６は、バイポーラトランジスタＱ１がオフし、リレー９は消勢しているので、消費電力は微小となっている。
【００５７】
そして、定期点検時において、カレントトランス２の一次巻線２ａに供給される電流を例えば所定の電流（４．８Ａ）から定格電流（６．６Ａ）に増加させると、６Ａの電流が供給されているときに、発光ダイオード４に８７．５ｍＡの電流が流れて、第１の抵抗素子Ｒ１の両端間電圧が０．３４Ｖとなる。カレントトランス２の一次巻線２ａに供給される電流が６Ａよりも若干大きくなったときに、第１の抵抗素子Ｒ１の両端間電圧は、比較器１５の基準電圧（０．３４Ｖ）よりも大きくなる。
【００５８】
比較器１５は、ハイ信号を接続回路６のバイポーラトランジスタＱ１のベースに出力する。当該ハイ信号により、バイポーラトランジスタＱ１は、オンし、リレー９のリレーコイル９ｄに定電圧回路７のコンデンサＣ２の両端間電圧が印加されてリレー９が付勢する。これにより、リレー９の共通接点９ｃは、常閉接点９ｂから常開接点９ａに接続され、整流装置３の入力側は、カレントトランス２の一端接続部８ａおよび中間接続部８ｂに接続される。また、リレー９の常開接点１１ａ，１１ａが閉路（接続）し、第２の抵抗素子Ｒ２が第１の抵抗素子Ｒ１に並列的に接続される。
【００５９】
そして、発光ダイオード４には、約６３６ｍＡの電流が流れる。第１および第２の抵抗素子Ｒ１，Ｒ２の合成抵抗値は、０．５８Ωであるので、第１の抵抗素子Ｒ１の両端間電圧は、０．３７Ｖとなる。この電圧は、比較器１５の基準電圧（０．３４Ｖ）よりも大きいので、比較器１５からハイ信号が出力され、接続回路６のリレー９が付勢され、リレー９のリレー接点９ａ，９ｂおよびリレー接点１１ａ，１１ａの上記切り換わりの状態が継続される。
【００６０】
そして、カレントトランス２の一次巻線２ａに定格電流（６．６Ａ）が供給されると、発光ダイオード４に定格の電流（７００ｍＡ）が流れて発光ダイオード４が定格点灯するようになる。そして、発光ダイオード４からの光出力の検査などが行われる。
【００６１】
点検後、カレントトランス２の一次巻線２ａに供給される電流を定格電流（６．６Ａ）から減少させると、約５．５Ａのときに発光ダイオード４に５８６ｍＡの電流が流れるようになり、第１の抵抗素子Ｒ１の両端間電圧が０．３４Ｖとなる。第１の抵抗素子Ｒ１の両端間電圧が比較器１５の基準電圧以下となるので、比較器１５からロウ信号が出力され、接続回路６のリレー９が消勢する。これにより、整流装置３の入力側がカレントトランス２の一端接続部８ａおよび他端接続部８ｂに接続され、第２の抵抗素子Ｒ２が第１の抵抗素子Ｒ１に並列接続されなくなる。
【００６２】
上述したように、カレントトランス２の一次巻線２ａに供給される電流に応じて発光ダイオード４に流れる電流を電圧変換した第１の抵抗素子Ｒ１の両端間電圧と基準電圧との比較に応じて、接続回路６のリレー接点９ａ〜９ｃにより整流装置３の入力側とカレントトランス２の二次巻線２ｂの接続が自動的に切り換わるので、実用使用時および定期点検時における整流装置３の入力側とカレントトランス２の二次巻線２ｂの接続ミスを防止することができるとともに、省力化を図ることができる。
【００６３】
また、整流装置３の入力側とカレントトランス２の一端接続部８ａおよび他端接続部８ｂとが接続され、発光ダイオード４が所定の光度比率で点灯される実用使用時には、接続回路６のリレー９が消勢されるように構成されているので、接続回路６における消費電力が微小となり、ＬＥＤ標識灯点灯装置１の電力損失を大幅に削減することができる。
【００６４】
また、比較回路５の基準電圧をカレントトランス２の三次巻線２ｃの出力側に形成した定電圧回路７から供給されるように構成しているので、バッテリなどの基準電圧源を備えることを要しなく、かつ定期的に基準電圧源を交換する必要がないので、ＬＥＤ標識灯点灯装置１を安価にすることができる。
【００６５】
そして、定期点検時において、カレントトランス２の一次巻線２ａに定格電流を供給し、発光ダイオード４が定格点灯されるときに、第１および第２の抵抗素子Ｒ１，Ｒ２を並列接続して、電流検出用の抵抗素子の抵抗値を相対的に小さくするので、電流検出用の抵抗素子としての第１および第２の抵抗素子Ｒ１，Ｒ２での電力損失を低減することができるとともに、第１および第２の抵抗素子Ｒ１，Ｒ２を低ワットで安価なもので使用することができる。
【００６６】
なお、第１および第２の抵抗素子Ｒ１，Ｒ２を直列接続し、第２の抵抗素子Ｒ２の両端間をリレー接点１１ａ，１１ａで短絡または開放するようにしてもよい。この場合、第１および第２の抵抗素子Ｒ１，Ｒ２の合成抵抗値は、例えば３．９Ωであり、第１の抵抗素子Ｒ１の抵抗値は、例えば０．５８Ωとすればよい。
【００６７】
次に、本発明の第２の実施形態について説明する。
【００６８】
図３は、本発明の第２の実施形態を示すＬＥＤ標識灯の一部切り欠き概略側面図である。なお、図１と同一部分には同一符号を付して説明は省略する。
【００６９】
図３に示すＬＥＤ標識灯１９は、図１に示すＬＥＤ標識灯点灯装置１およびこのＬＥＤ標識灯点灯装置１を配設している灯体２０を有して構成されている。
【００７０】
灯体２０は、例えばアルミニウム(Ａｌ)からなり、一端部２０ａの内側に、内方に突出する突出部２１を略円筒状に形成されている。そして、内部に例えばアルミニウム(Ａｌ)からなる収納箱２２を配設している。収納箱２２には、カレントトランス２および点灯ユニット２３が収納されている。点灯ユニット２３は、ＬＥＤ標識灯点灯装置１からカレントトランス２および発光ダイオード４が除去された回路部品を有して構成されている。
【００７１】
灯体２０の突出部２１には、中央部に円柱状の台座部２４を有する土台２５が図示しないねじにより固定されている。台座部２４には、発光ダイオード４を実装している基板２６が固着されている。また、台座部２４には、発光ダイオード４を収容するように略円筒状の包囲体２７が配設されている。包囲体２７は、例えばアクリル樹脂からなっている。
【００７２】
そして、灯体２０の一端部２０ａの端面には、土台２５および包囲体２７を覆うようにして、外形が砲弾状であって所定の肉厚を有する透光性の上部カバー２８が接着材により固着されている。上部カバー２８は、例えばポリカーボネート樹脂からなっている。
【００７３】
そして、灯体２０の他端部２０ｂには、一部が他端部２０ｂの内部に挿入された略円筒状の可折接手２９が取り付けられている。灯体２０の他端部２０ｂの内部に挿入された可折接手２９の部分は、収納箱２２の一部を包囲している。可折接手２９は、例えばアルミニウム(Ａｌ)からなっている。そして、可折接手２９の一端部２９ａからは、カレントトランス２の一次巻線２ａに接続されているリード線（図示しない。）が導出されている。
【００７４】
前記リード線を介して交流定電流電源から例えば所定の電流（４．８Ａ）がカレントトランス２に供給されると、発光ダイオード４が所定の光度比率（定格の１０％の光度比率）で点灯する。発光ダイオード４から放射された放射光は、上部カバー２８を透過して外方に出射される。
【００７５】
ＬＥＤ標識灯１９は、交流定電流電源からカレントトランス２に供給される定格電流（６．６Ａ）および所定の電流（４．８Ａ）に応じて整流装置３の入力側とカレントトランス２の一端接続部８ａ、他端接続部８ｂおよび中間接続部８ｃとの接続が自動的に切り換わるＬＥＤ標識灯点灯装置１を具備するので、実用使用時および定期点検時における省力化を図ることができる。
【図面の簡単な説明】
【００７６】
【図１】本発明の第１の実施形態を示すＬＥＤ標識灯点灯装置の概略回路図。
【図２】同じく、電流に対する光出力の変化を示す特性図。
【図３】本発明の第２の実施形態を示すＬＥＤ標識灯の一部切り欠き概略側面図。
【図４】従来技術のＬＥＤ標識灯点灯装置の概略回路図。
【符号の説明】
【００７７】
１…ＬＥＤ標識灯点灯装置
２…カレントトランス
３…整流装置
４…発光ダイオード
５…電流検出手段を構成する比較回路
６…接続切換手段としての接続回路
７…定電圧回路
１９…ＬＥＤ標識灯
２０…灯体
Ｒ１…第1の抵抗素子
Ｒ２…第２の抵抗素子
【図１】
2008181781.tif 000003
【図２】
2008181781.tif 000004
【図３】
2008181781.tif 000005
【図４】
2008181781.tif 000006